(57)【要約】【課題】浸水防止性能が良好な多機能シートおよびテントを提供する。【解決手段】テント１は、所定の場所に張設された支持ケーブル３に多機能シート４が支持されて、その多機能シート４によってテント部５の内部空間が形成される。多機能シート４は、防水性を有するシート体21を備える。このシート体21の縁部に対象物に保持される保持部材22を備える。また、対象物に保持された状態の保持部材22の外側を被覆可能で防水性を有する被覆部材23を備える。そして、支持ケーブル３に多機能シート４が支持された状態で、保持部材22を対象物である地面に保持し、その保持部材22を被覆部材23で覆うことにより、テント部５の下端部と地面との連結箇所からの水の浸入を防止できる。【選択図】図１
2018066194.tif 000002
【特許請求の範囲】
【請求項１】
防水性を有するシート体と、
このシート体の縁部に設けられ対象物に保持される保持部材と、
対象物に保持された状態の前記保持部材の外側を被覆可能で防水性を有する被覆部材と
を具備することを特徴とする多機能シート。
【請求項２】
保持部材は、シート体の縁部に設けられた筒状部材と、この筒状部材内に挿入された挿入部材と有し、
前記挿入部材は、対象物に結合される結合部材を有する
ことを特徴とする請求項１記載の多機能シート。
【請求項３】
挿入部材は、筒状部材に対して固定されている
ことを特徴とする請求項２記載の多機能シート。
【請求項４】
挿入部材は、結合部材に接続された軸部と、この軸部に対して周方向に回転可能に設けられた棒状部とを有し、
隣り合う挿入部材に対して結合部材同士が互いに回動可能に結合される
ことを特徴とする請求項２または３記載の多機能シート。
【請求項５】
所定の場所に張設された支持ケーブルと、
この支持ケーブルに支持された請求項１ないし４いずれか一記載の多機能シートとを具備し、
前記多機能シートは、前記支持ケーブルに支持された状態で内部空間が形成されるように保持部材が地面に保持される
ことを特徴とするテント。
【請求項６】
複数の多機能シートが保持部材で互いに結合され、
これら結合された複数の多機能シートが支持ケーブルで支持される
ことを特徴とする請求項５記載のテント。
【請求項７】
支持ケーブルに支持された多機能シートで形成された内部空間を有するテント部と、
このテント部からの出入口を構成する切妻部とを有する
ことを特徴とする請求項５または６記載のテント。
【請求項８】
切妻部は、テント部とは別の多機能シートで構成される
ことを特徴とする請求項７記載のテント。
【請求項９】
切妻部は、テント部に対して上下方向に開閉可能である
ことを特徴とする請求項７または８記載のテント。
【請求項１０】
切妻部は、一部を開閉可能である
ことを特徴とする請求項７ないし９いずれか一記載のテント。
【請求項１１】
切妻部は、テント部から一方向へ開放された第１の切妻と、テント部から前記第１の切妻とは異なる方向へ開放された第２の切妻とを有する
ことを特徴とする請求項７または８記載のテント。
【請求項１２】
支持ケーブルは、両端部のうちの少なくとも一方が、スパイラル形状の掘進部を有するアンカーによって地面に保持されて張設される
ことを特徴とする請求項５ないし１１いずれか一記載のテント。
【発明の詳細な説明】
【技術分野】
【０００１】
本発明は、例えば簡易的に設置されるテントの部品等として利用可能な多機能シートおよびその多機能シートを用いたテントに関する。
【背景技術】
【０００２】
従来、例えば災害時の避難先等での緊急用や、アウトドア施設等での娯楽用として簡易的に設置されるテントとしては、例えば特許文献１に示すように、弾性を有するフレームに可撓性を有するシート体が設けられた折畳式テントや、特許文献２に示すように、空気で膨張させるフレームにシート体が設けられたエアーテント等が知られている。
【０００３】
しかしながら、上述の特許文献１や特許文献２のようにフレームにシート体が設けられた構成では、フレームにある程度の強度を確保する必要があるため、コストが上昇し、例えば災害時等の緊急用として多数常備するのに適していない。そのため、普及が進んでいないのが現状であり、より簡単な構成で安価なテントが求められていた。
【０００４】
より簡単な構成のテントとしては、例えば特許文献３に示すように、ワイヤーにシート体を吊り下げる構成が知られている。
【０００５】
また、シート体としては、テントの側壁や天幕として使用できるだけでなく、例えば、テントの下面に敷いて使用したり、損壊した建物の屋根や窓を塞ぐために使用したりと、様々な用途で使用できるものが好ましい。
【０００６】
このような様々な用途で使用できるシート体としては、いわゆるブルーシート等のように、縁部にハトメが設けられた合成樹脂製の汎用シートが知られている。
【０００７】
このようなハトメが設けられた汎用シートは、ハトメを介してフレームや柱等の支持部材に連結したり、シート同士を連結したりして、様々な用途で使用されている。
【先行技術文献】
【特許文献】
【０００８】
【特許文献１】特開２０１５−８６５８７号公報
【特許文献２】特開２００４−１３２００７号公報
【特許文献３】特開２００４−６０３０２号公報
【発明の概要】
【発明が解決しようとする課題】
【０００９】
しかしながら、特許文献３のようにワイヤーにシート体が吊り下げられた構成では、吊り下げられたシート体の下端部から、雨等の水が内部空間内に浸入しやすい問題が考えられる。
【００１０】
また、ハトメを介して支持部材やシート体同士を連結した場合には、その連結部分から雨等の水が浸入しやすい問題が考えられる。
【００１１】
したがって、例えば簡易的に設置されるテントの部品等として使用できる多機能シートにおいて、浸水防止性能が良好なものが求められていた。
【００１２】
本発明はこのような点に鑑みなされたもので、浸水防止性能が良好な多機能シートおよびテントを提供することを目的とする。
【課題を解決するための手段】
【００１３】
請求項１に記載された多機能シートは、防水性を有するシート体と、このシート体の縁部に設けられ対象物に保持される保持部材と、対象物に保持された状態の前記保持部材の外側を被覆可能で防水性を有する被覆部材とを具備するものである。
【００１４】
請求項２に記載された多機能シートは、請求項１記載の多機能シートにおいて、保持部材は、シート体の縁部に設けられた筒状部材と、この筒状部材内に挿入された挿入部材と有し、前記挿入部材は、対象物に結合される結合部材を有するものである。
【００１５】
請求項３に記載された多機能シートは、請求項２記載の多機能シートにおいて、挿入部材は、筒状部材に対して固定されているものである。
【００１６】
請求項４に記載された多機能シートは、請求項２または３記載の多機能シートにおいて、挿入部材は、結合部材に接続された軸部と、この軸部に対して周方向に回転可能に設けられた棒状部とを有し、隣り合う挿入部材に対して結合部材同士が互いに回動可能に結合されるものである。
【００１７】
請求項５に記載されたテントは、所定の場所に張設された支持ケーブルと、この支持ケーブルに支持された請求項１ないし４いずれか一記載の多機能シートとを具備し、前記多機能シートは、前記支持ケーブルに支持された状態で内部空間が形成されるように保持部材が地面に保持されるものである。
【００１８】
請求項６に記載されたテントは、請求項５記載のテントにおいて、複数の多機能シートが保持部材で互いに結合され、これら結合された複数の多機能シートが支持ケーブルで支持されるものである。
【００１９】
請求項７に記載されたテントは、請求項５または６記載のテントにおいて、支持ケーブルに支持された多機能シートで形成された内部空間を有するテント部と、このテント部からの出入口を構成する切妻部とを有するものである。
【００２０】
請求項８に記載されたテントは、請求項７記載のテントにおいて、切妻部は、テント部とは別の多機能シートで構成されるものである。
【００２１】
請求項９に記載されたテントは、請求項７または８記載のテントにおいて、切妻部は、テント部に対して上下方向に開閉可能であるものである。
【００２２】
請求項１０に記載されたテントは、請求項７ないし９いずれか一記載のテントにおいて、切妻部は、一部を開閉可能であるものである。
【００２３】
請求項１１に記載されたテントは、請求項７または８記載のテントにおいて、切妻部は、テント部から一方向へ開放された第１の切妻と、テント部から前記第１の切妻とは異なる方向へ開放された第２の切妻とを有するものである。
【００２４】
請求項１２に記載されたテントは、請求項５ないし１１いずれか一記載のテントにおいて、支持ケーブルは、両端部のうちの少なくとも一方が、スパイラル形状の掘進部を有するアンカーによって地面に保持されて張設されるものである。
【発明の効果】
【００２５】
本発明によれば、対象物に保持された状態の保持部材の外側が被覆部材によって被覆されるため、浸水防止効果を向上できる。
【図面の簡単な説明】
【００２６】
【図１】本発明の第１の実施の形態に係るテントの構成を示す斜視図である。
【図２】同上テントのシート体を示す斜視図である。
【図３】同上テントの支持ケーブルと多機能シートとの吊下状態を示す斜視図である。
【図４】（ａ）ないし（ｃ）は、アンカーを示す側面図である。
【図５】本発明の第２の実施の形態に係るテントの構成を示す斜視図である。
【図６】同上テントの二又支柱による支持ケーブルの張設方法を示す模式図である。
【図７】同上テントの変形例を示す模式図である。
【図８】本発明の第３の実施の形態のテントの全閉状態を示す斜視図である。
【図９】同上テントの全開状態を示す斜視図である。
【図１０】同上テントの変形例を示す斜視図である。
【図１１】同上テントの変形例を示す斜視図である。
【図１２】同上テントにおける挿入部材の変形例を示す側面図である。
【発明を実施するための形態】
【００２７】
以下、本発明の第１の実施の形態の構成について図面を参照しながら詳細に説明する。
【００２８】
図１において、１はテントで、例えば、災害時の避難先等での緊急用や、アウトドア施設等での娯楽用として簡易的に設置される。
【００２９】
テント１は、例えば公園やグラウンドや広場等の所定の場所において、木や柱等の支持体２を利用して張設された支持ケーブル３に、図２に示す多機能シート４が支持されることで、その多機能シート４によって内部空間を有するテント部５が構成される。
【００３０】
また、テント部５を構成する多機能シート４には、別体の多機能シート６，７が結合されて、テント部５からの出入口となる切妻部８が構成される。
【００３１】
図３に示すように、支持ケーブル３は、連結部材13を介して、多機能シート４を吊り下げるように支持している。
【００３２】
支持ケーブル３は、支持体２を利用して略水平に張設されている。すなわち、支持ケーブル３は、支持体２に固定されたウインチ14によって一方側の端部が巻き取られるように固定されて支持体２に沿って上方へ引き出されるとともに、支持体２に設置された滑車15を介して水平に配設される。また、支持ケーブル３の他方側の端部は図示しない支持体等に固定される。そして、この支持ケーブル３は、ウインチ14の巻き取りによって張力が付与されて張設される。
【００３３】
支持ケーブル３の下方には、この支持ケーブル３に対してスライド可能に操作ロープ11が設けられている。
【００３４】
この操作ロープ11は、連結部材13によって支持ケーブル３の下方に略水平に配置され、テント部５から一方側へ引き出されるようにして、テント部５の外部に設けられた滑車16aを介して所定の方向へ引き出されている。
【００３５】
また、テント部５の他方側には、操作ロープ12が接続されており、テント部５の外部に設けられた滑車16bを介して所定の方向へ引き出されている。
【００３６】
さらに、テント部５の一方側における操作ロープ12の延長線上には、固定ロープ10が接続されている。この固定ロープ10は、テント部５の一方側から引き出され支持体２に固定されている。
【００３７】
ここで、連結部材13は、第１のフック17の内側に第２のフック18が設けられているとともに、これら第１のフック17および第２のフック18の下方に第３のフック19が設けられている。
【００３８】
第１のフック17は、支持ケーブル３および操作ロープ11に係合して連結され支持ケーブル３に対して摺動可能である。
【００３９】
第２のフック18は、操作ロープ11に係合して連結されている。また、操作ロープ11の他方側の端部に設けられた固定部12aが、最も他方側に配置された連結部材13の第２のフック18に固定されている。
【００４０】
そして、操作ロープ11を一方側へ引いて支持ケーブル３に対してスライドさせることにより、連結部材13が操作ロープ11とともに支持ケーブル３に対して一方側へ移動する。
【００４１】
第３のフック19は、多機能シート４に係合されている。そして、多機能シート４は、支持ケーブル３に対して、操作ロープ11および連結部材13とともに移動可能である。
【００４２】
したがって、操作ロープ11を一方側へ引いて支持ケーブル３に対しスライドさせ連結部材13を移動させることにより、連結部材13に係合された多機能シート４も同様に支持ケーブル３に対して一方側へスライドし、折り畳まれるように収縮される。
【００４３】
また、操作ロープ12を他方側へ引いて支持ケーブル３に対して、多機能シート４を支持ケーブル３に対して他方側へスライドさせることにより、多機能シート４が支持ケーブル３に沿って迫り出されるように拡げられる。
【００４４】
なお、このように操作ロープ12を他方側へ引いて多機能シート４が所定の範囲でスライドすると、多機能シート４の一方側に接続された固定ロープ10が伸張して、スライドが停止されて、多機能シート４の一方側の端部が支持体２に対する所定距離で保持される。
【００４５】
図２に示すように、多機能シート４は、例えば帆布や合成樹脂製の防水性を有する矩形状のシート体21を備え、このシート体21の縁部には、対象物に保持される保持部材22と、対象物に保持された状態の保持部材22の外側を被覆可能なシート状の被覆部材23とが設けられている。
【００４６】
被覆部材23は、保持部材22の外側（例えば上側）に位置するように、シート体21から一体的に設けられている。
【００４７】
保持部材22は、シート体21の縁部に沿って設けられた複数の筒状部材24を有し、これら各筒状部材24内に挿入部材25が挿入され、挿入部材25の端部に結合部材としての結合リング26が設けられている。
【００４８】
筒状部材24は、シート体21の縁部から一体的な筒状に形成され、その軸方向がシート体21の縁部に平行になるように配置されている。
【００４９】
また、筒状部材24におけるシート体21との境界部分には、補強ベルト24aが設けられている。
【００５０】
挿入部材25は、筒状部材24内に挿入可能で筒状部材24に対応した長さの円柱棒状であり、軸方向の両端部に結合リング26が設けられている。
【００５１】
また、筒状部材24と挿入部材25とは、図３に示すように、筒状部材24内に挿入部材25が挿入された状態にて、筒状部材24の上から固定部材としてパッカー28を挿入部材25の外側に嵌合することで、筒状部材24に対して挿入部材25が固定される。
【００５２】
パッカー28は、可撓性を有し周面の一部が開口された円筒状であり、その内径は挿入部材25の外径よりやや小さい。
【００５３】
そして、パッカー28の開口された部分を周方向に拡げるように弾性変形させながら、そのパッカー28を筒状部材24の上から挿入部材25に嵌合することで締め付けられるように固定される。
【００５４】
なお、パッカー28は、筒状部材24に対して挿入部材25を固定できる構成であればよく、１組の筒状部材24および挿入部材25のみを固定する構成や、１組の筒状部材24および挿入部材25の端部から隣り合う筒状部材24および挿入部材25の端部に渡って配置されて、隣り合う２組の筒状部材24および挿入部材25を固定する構成のいずれでもよい。
【００５５】
また、固定部材は、パッカー28のように嵌合により筒状部材24と挿入部材25とを固定する構成には限定されず、例えば螺着や貼着等、筒状部材24と挿入部材25とを固定できる構成であればよい。
【００５６】
ここで、シート体21の略中央には、支持ケーブル３に支持される被支持部27が設けられている。
【００５７】
この被支持部27は、シート体21の縁部と同様の保持部材22が設けられ、保持部材22の一部に連結部材13に連結される被連結部材31が取り付けられている。
【００５８】
図３に示すように、被連結部材31は、保持部材22の外側に取り付けられる筒部32、この筒部32から上方へ突出した連結板部33と、この連結板部33に設けられた連結孔部34とを有している。
【００５９】
そして、テント１は、被連結部材31の筒部32が保持部材22に取り付けられた状態にて、支持ケーブル３に連結された連結部材13の第３のフック19を、連結孔部34を介して連結板部33に係合することで、多機能シート４が支持ケーブル３に吊り下げられるように支持される。
【００６０】
また、テント１は、支持ケーブル３に支持された頂点の部分でテント部５における棟が構成され、吊り下げられて下側に位置するシート体21の縁部でテント部５における軒先が構成され、正面視で略三角形状のテント部５が構成される。
【００６１】
さらに、テント１は、内部空間が形成されてテント部５が構成された状態で、シート体21の縁部に設けられテント部５の軒先に位置する保持部材22が結合体としてのＬ字状のアンカー35によって、テント１の設置面である地面に保持される。
【００６２】
なお、アンカー35は、保持部材22が地面に配設された状態で、掘進部36が結合リング26内を通して地中に埋め込まれて、係合部37を結合リング26に係合させることで、結合リング26を地面に押し当てられて、保持部材22が対象物である地面に固定された状態を保持する。
【００６３】
また、このように対象物である地面に保持部材22が保持された状態にて、保持部材22の外側（上側）が被覆部材23で被覆され、保持部材22は被覆部材23と地面との間に位置した状態となり、被覆部材23によって、テント部５の下端部と地面との連結箇所からの雨水等の水の侵入を防止できる。
【００６４】
なお、テント部５は、保持部材22が地面に保持されず多機能シート４が支持ケーブル３に吊り下げられて支持されただけの状態では、操作ロープ11を他方側へ引っ張ることで、支持ケーブル３に対する操作ロープ11のスライド移動にともなって多機能シート４もスライドする。すなわち、テント部５がカーテンのようにスライド移動により伸縮させてテント部５を開閉可能である。
【００６５】
また、このように多機能シート４をスライドさせてテント部５を収縮させると、シート体21が筒状部材24および挿入部材25の間隔に対応して折り畳まれる。すなわち、シート体21は、挿入部材25の端部の基点にして、隣り合う筒状部材24間に対応して延びる折畳線38（図１において二点鎖線で示す）でカーテンのように交互に折り畳まれる。
【００６６】
したがって、操作ロープ11を引っ張ってテント部５を開閉させる際には、シート体21が折畳線38に基づいて自動的に折り畳まれるように収縮し、テント部５の開閉操作をスムーズにできる。
【００６７】
切妻部８は、テント部５から一方向へ開放された第１の切妻41と、テント部５から第１の切妻41とは異なる方向へ開放された第２の切妻42とを有している。
【００６８】
第１の切妻41は、テント部５の一端部における一方の傍軒43に結合された三角形状の多機能シート６で構成され、第２の切妻42は、テント部５の一端部における他方の傍軒44に結合された三角形状の多機能シート７で構成されている。
【００６９】
これら多機能シート６，７の下端部は、保持部材22で地面に保持され、その保持部材22の外側（上側）が被覆部材23で覆われることにより、切妻部８の下端部からの雨水等の侵入を防止できる。
【００７０】
また、多機能シート７は、多機能シート６の外側に配置されている。すなわち、第２の切妻42は第１の切妻41の外側に位置している。
【００７１】
そして、第１の切妻41は、テント部５から一方向である他方の傍軒44側へ開放され、この第１の切妻41の外側に位置する第２の切妻42は、テント部５から、第１の切妻41の開放方向とは異なる方向である一方の傍軒43側へ開放されている。
【００７２】
なお、多機能シート６，７は、保持部材22がテント部５の一端部に保持されて結合され、その保持部材22の外側が被覆部材23で覆われる構成が好ましいが、テント部５と多機能シート６，７との結合方法は適宜決定できる。
【００７３】
次に、上記第１の実施の形態の作用および効果を説明する。
【００７４】
テント１を設営する際には、まず、支持体２に対してウインチ14によって支持ケーブル３を張設し、その支持ケーブル３に多機能シート４を支持させる。
【００７５】
支持ケーブル３に多機能シート４を支持する際には、連結部材13を用いて被支持部27を支持ケーブル３に支持させる。すなわち、連結部材13の第３のフック19を被支持部27の連結孔部34に係合した状態で、連結部材13の第２のフック18を操作ロープ11に係合し、連結部材13の第１のフック17を支持ケーブル３および操作ロープ11に係合することで、多機能シート４が支持ケーブル３に支持される。
【００７６】
また、支持ケーブル３に支持された多機能シート４におけるシート体21の支持ケーブル３と平行な縁部を広げて多機能シート４を正面視で略三角形状にして内部空間を形成し、その広げた縁部の保持部材22を対象物である地面に保持して連結する。すなわち、筒状部材24の下面が地面に接触した状態で、結合リング26を介してアンカー35の掘進部36を地面に埋設して、支持ケーブル３で支持された多機能シート４によって、テント部５の内部空間が形成されるように保持部材22を地面に保持して定着させる。
【００７７】
また、多機能シート４における支持ケーブル３の軸方向の一方側の端部のうちの傍軒43に多機能シート６を連結し、その多機能シート６の下側縁部に配置された保持部材22を地面に保持して、第１の切妻41を構成する。
【００７８】
さらに、多機能シート４における支持ケーブル３の軸方向の一方側の端部のうちの傍軒44に多機能シート７を連結し、その多機能シート７の下側縁部に配置された保持部材22を地面に保持して、第２の切妻42を構成する。
【００７９】
これら第１の切妻41および第２の切妻42によってテント部５からの出入口となる切妻部８が構成され、テント１が設営された状態となる。
【００８０】
そして、上記第１の実施の形態によれば、対象物に保持された状態の各保持部材22の外側が被覆部材23で被覆されるため、被覆部材23によって対象物との連結部分の止水性を向上でき、浸水防止性能を向上できる。
【００８１】
より具体的には、例えば保持部材22が地面に保持された状態では、テント部５の軒先に位置する保持部材22が被覆部材23で被覆されることになり軒先と地面との連結部分からの水の浸入を防止できる。また、例えば保持部材22が別の多機能シート６，７や他のシートに連結されて保持された状態では、そのシートと多機能シート４との連結部分が被覆部材23で被覆されることになりシート同士の連結部分からの水の浸入を防止できる。
【００８２】
また、多機能シート４は、保持部材22が、シート体21の縁部に沿って設けられた複数の筒状部材24と、その筒状部材24に挿入された挿入部材25と、挿入部材25に設けられた結合リング26とを有し、結合リング26を対象物に固定する構成であることにより、シート体21の縁部全体が対象物に密着するように保持できる。そのため、例えば風を受けた場合等のように外力が作用しても、従来のブルーシート等のようにハトメを介して対象物に連結する構成に比べて、力が特定の箇所に集中しにくいとともに、対象物とシート体21との間に風が入り込んでシート体21がはためきにくい。したがって、従来のブルーシート等の汎用シートに比べて、対象物に確実に保持し易いとともに、破損しにくく強度を向上できる。
【００８３】
また、多機能シート４は、挿入部材25が筒状部材24に対して固定されている構成であることにより、保持部材22の安定性を向上でき、被覆部材23による止水性を確保しやすい。
【００８４】
テント１は、多機能シート４を支持ケーブル３で支持して、その多機能シート４の下側の端部に位置する保持部材22を地面に保持するだけで設営できるため、設営作業が容易である。
【００８５】
また、テント１は、多機能シート４を操作ロープ11とともに支持ケーブル３に対してスライド可能にすることにより、操作ロープ11を引っ張るように操作するだけで、テント部５を開閉でき、テント１の設営や折畳操作を容易にできる。
【００８６】
さらに、テント１は、多機能シート４で形成された内部空間を有するテント部５と、このテント部５からの出入口となる切妻部８とを備えることにより、切妻部８で遮風性を向上できるとともに、プライバシーを確保しやすくなるため、使用する上での快適性を向上できる。
【００８７】
特に、切妻部８がテント部５から一方向に開放される第１の切妻41と、この第１の切妻41とは異なる方向へ開放された第２の切妻42とを有する構成にすることにより、快適性をより向上できる。
【００８８】
保持部材22を対象物である地面に保持するために結合リング26がアンカー35で固定される構成にすることにより、保持部材22を簡単かつ強固に地面に保持できる。
【００８９】
なお、上記第１実施の形態では、テント１は、１つの多機能シート４でテント部５が形成された構成としたが、このような構成には限定されず、複数の多機能シート４を連結させてテント部５を形成する構成にしてもよい。このように複数の多機能シート４を連結する場合には、保持部材22同士を互いに保持させるように連結し、その連結した保持部材22の外側を被覆部材23で被覆する構成が好ましい。
【００９０】
また、テント１は、テント部５からの出入口となる切妻部８を有する構成としたが、このような構成に限定されず、多機能シート４が支持ケーブル３に吊り下げられただけの切妻部８を有さない構成にしてもよい。
【００９１】
また、切妻部８を有する構成の場合には、切妻部８は、第１の切妻41と第２の切妻42とを有する二重の構成には限定されず、出入口として利用可能な構成であればよい。
【００９２】
さらに、切妻部８は、テント部５とは別体の多機能シート６，７で形成された構成としたが、このような構成には限定されず、切妻部８を構成するシートがテント部５に一体である構成や、多機能シート６，７とは異なる構成のシートで形成された構成等にしてもよい。
【００９３】
支持ケーブル３は、支持された状態の多機能シート４が操作ロープ11とともにスライド可能な構成としたが、このような構成には限定されず、支持ケーブル３は多機能シート４を支持可能な構成であればよい。
【００９４】
多機能シート４は、被支持部27が支持ケーブル３に支持された構成としたが、このような構成には限定されず、例えば、支持ケーブル３上にシート体21を覆い被せるようにして多機能シート４が支持される構成にしてもよい。
【００９５】
また、多機能シート４は、矩形状である構成としたが、このような構成には限定されず、シート体21の形状は適宜選択可能である。
【００９６】
さらに、多機能シート４は、シート体21の対向する２つの縁部に保持部材22および被覆部材23が設けられた構成としたが、このような構成には限定されず、保持部材22および被覆部材23はシート体21に設けられていればよく、シート体21における保持部材22および被覆部材23の配置は適宜設計できる。
【００９７】
保持部材22は、筒状部材24と挿入部材25とを有する構成としたが、このような構成には限定されず、地面や他のシート等の対象物に保持可能な構成であればよい。
【００９８】
また、保持部材22が筒状部材24と挿入部材25とを有する構成の場合には、シート体21の縁部に沿って複数の筒状部材24が設けられた構成には限定されず、シート体21の縁部全体に亘って１つの筒状部材24が設けられた構成等にしてもよい。
【００９９】
さらに、保持部材22は、必要に応じて隣り合う挿入部材25の端部の結合リング26同士が結合される構成にしてもよい。
【０１００】
アンカー35は、Ｌ字状である構成には限定されず、例えば図４（ａ）に示すアンカー45のように、円形状の係合部45aの下部に棒状（釘状）の掘進部45bが設けられた構成や、図４（ｂ）に示すアンカー46のように、コ字状の係合部46aの下部に棒状（釘状）の掘進部46bが設けられた構成や、図４（ｃ）に示すアンカー47のように、係合部47aが円形状でその下側に設けられた掘進部47bがワインオープナー（いわゆるコルク抜き）のようなスパイラル形状、すなわち螺旋形状である構成等にしてもよい。図４（ｃ）に示すアンカー47は、回転させることでスパイラル形状の掘進部47bが螺合するように地面に掘進して挿入されるため、簡単な構成でより強力に、保持部材22を対象物である地面に保持しやすい。
【０１０１】
また、多機能シート４は、テント１用として用いるだけでなく、例えば、倒壊家屋における倒壊部分を被覆する囲い等のように、対象物の所定部分を被覆する目的で使用することができる。この場合には、倒壊部分をシート体21で覆い、保持部材22を倒壊家屋の倒壊部分の周囲に保持することにより、シート体21の縁部からの雨水等の水分の浸入を防止できる。
【０１０２】
次に、第２の実施の形態を図面を参照して説明する。なお、上記第１の実施の形態と同一の構成及び作用については、同一符号を付してその説明を省略する。
【０１０３】
この第２の実施の形態に係るテント51は、図５に示すように、上記第１の実施の形態における支持体２に代えて、平面視で三角形状の支持体としての二又支柱52を用いたものである。
【０１０４】
二又支柱52は、第１の柱部材53の軸方向の一端部（上端部）と、第２の柱部材54の軸方向の一端部（上端部）とが、キャップ状の上部連結体55で連結されている。また、これら第１の柱部材53の軸方向の他端部（下端部）と、第２の柱部材54の軸方向の他端部（下端部）とが、互いに離間した状態で下部連結体56に連結されて、正面視で三角形状に構成される。
【０１０５】
上部連結体55は、第１の柱部材53の上端部および第２の柱部材54の上端部を挿入して接続可能である。そして、上部連結体55に第１の柱部材53および第２の柱部材54を接続することで、その上部連結体55が二又支柱52の三角形の頂点となる。
【０１０６】
下部連結体56は、第１の柱部材53の下端部および第２の柱部材54の下端部を接続可能な２つの第１の接続部57と、これら第１の接続部57に接続された柱状の第２の接続部58とを有している。
【０１０７】
第１の接続部57は、外周面に第１の柱部材53の下端部および第２の柱部材54の下端部を接続可能であるとともに、軸方向の内側端部に第２の接続部58を接続可能である。
【０１０８】
すなわち、下部連結体56は、第１の柱部材53および第２の柱部材54を第１の接続部57に接続した状態で、第１の柱部材53および第２の柱部材54と交差して三角形をなすように第１の接続部57に柱状の第２の接続部58を接続可能である。
【０１０９】
このような二又支柱52の三角形の頂点には、支持ケーブル59を接続可能である。
【０１１０】
そして、互いに離間し対向した状態の１対の二又支柱52の頂点に支持ケーブル59が接続され、その支持ケーブル59の一端部がウインチ68に巻き付けられ、支持ケーブル59の他端部が地面に定着して固定されて、支持ケーブル59が張設される。
【０１１１】
なお、上記テント51を設営する際には、対をなす２つの二又支柱52それぞれを図６に二点鎖線で示すように地面に伏した状態とし、各二又支柱52の三角形の頂点に支持ケーブル59を接続する。
【０１１２】
また、支持ケーブル59における一端部をウインチ68に接続し、他端部をアンカー47によって地面に固定して保持する。
【０１１３】
アンカー47は、係合部47aに支持ケーブル59の他端部が結合された状態で、スパイラル形状の掘進部47bが螺合するように地中に埋設されることで、支持ケーブル59の他端部を強固に地面に保持できる。したがって、例えば木や柱等の支持体２を利用できない場合であっても、支持ケーブル59を強固に張設できる。
【０１１４】
このように地面に保持された状態で二又支柱52が接続された支持ケーブル59の外側から多機能シート60を覆い被せるようにして、多機能シート60を支持ケーブル59に連結部材13を介して連結する。
【０１１５】
そして、ウインチ68によって支持ケーブル59を巻き取ることにより、支持ケーブル59の緊張に伴って各二又支柱52が連動して徐々に起立し、図６に実線で示すように二又支柱52が起立した状態となり、これら１対の二又支柱52間に支持ケーブル59が張設されるとともに、支持ケーブル59上に多機能シート60が覆い被さって、吊り下げされるように支持される。
【０１１６】
さらに、この多機能シート60の下側縁部を広げた状態で、その下側縁部に設けられた保持部材22を地面に保持する。
【０１１７】
このように、二又支柱52によって支持ケーブル59を張設する構成では、例えば柱や木等の支持体がない場所であっても、テント51を設営可能である。
【０１１８】
なお、支持ケーブル59には、図示しないケーブルカバーを介して多機能シート60が支持されることにより、支持ケーブル59と多機能シート60との摩擦による多機能シート60の損傷を防止できるので好ましい。
【０１１９】
上記第２の実施の形態では、対を成す２つの二又支柱52が互いに離間し対向した状態で設置され、それら二又支柱52に張設された支持ケーブル59に多機能シート60が支持される構成としたが、二又支柱52の数や配置は適宜変更できる。
【０１２０】
すなわち、例えば図７に示す変形例のように、複数対（例えば３対）の二又支持部材61，62，63を用い、二又支持部材61の両脇に、この二又支持部材61より高さ寸法の小さい二又支持部材62，63が位置するように、それぞれ並列に離間して配置し、各二又支持部材61，62，63それぞれに別個の支持ケーブル64，65，66を張設して、これら支持ケーブル64，65，66で、１つの多機能シート60が支持されて、テント部67がアーチ状である構成にしてもよい。
【０１２１】
なお、この図７に示す変形例のように複数対の二又支持部材61，62，63を用いる場合には、全て同じ高さ寸法のものを用いてもよく、二又支持部材61，62，63の大きさや配置は適宜変更できる。
【０１２２】
次に、第３の実施の形態を図面を参照して説明する。なお、上記実施の形態と同一の構成及び作用については、同一符号を付してその説明を省略する。
【０１２３】
図８および図９に示すように、テント部５を構成する多機能シート４には、別体の多機能シート71が結合されて、上下方向に開閉可能なシャッター式の切妻部72が構成されている。
【０１２４】
この切妻部72を構成する多機能シート71は、傍軒43および傍軒44に接続されて、テント部５から引き出された支持ケーブル59およびウインチ68の外側を覆うように、支持ケーブル59に沿って配設されている。
【０１２５】
このように多機能シート71によって支持ケーブル59およびウインチ68が覆われ、多機能シート71の下端部が地面に接触した状態にすることにより、テント部５は出入口が閉塞された全閉状態となる。
【０１２６】
全閉状態の切妻部72は、略三角錐状に構成されている。すなわち、多機能シート71は支持ケーブル59からテント部５側へ向かって漸次外側へ拡がるように構成されている。
【０１２７】
このような多機能シート71は、支持ケーブル59に沿って上下方向へ移動可能である。すなわち、多機能シート71の下端部の中央部には、図示しない操作ロープの一端部が接続されている。その操作ロープは、他端部側が図示しない滑車を介して所定の方向に引き出されている。
【０１２８】
そして、操作ロープの他端部側へ引くことにより、操作ロープの一端部に接続された多機能シート71の下端部が支持ケーブル59に沿って上昇し、図９に示すように、多機能シート71が折り畳まれるように収縮される。その結果、テント部５は、出入口が開放された全開状態となる。
【０１２９】
このように切妻部72をシャッター式で上下方向に開閉可能な構成にすることにより、テント部５の出入口の開閉操作が容易となる。
【０１３０】
また、多機能シート71を支持ケーブル59に沿って配設して、三角錐状の切妻部72とすることで、第１の実施の形態における切妻部８に比べて、全閉状態における風の抵抗を軽減できる。
【０１３１】
なお、上記第３の実施の形態では、切妻部72全体を上下に開閉できる構成としたが、例えば図１０および図１１に示す各変形例のように切妻部72の一部を開閉可能な構成にしてもよい。
【０１３２】
図１０に示す変形例では、切妻部72を構成する多機能シート71の下端部の外側端部において、挿入部材73に対して筒状部材74および被覆部材75がスライド可能に構成されている。
【０１３３】
すなわち、切妻部72の下側角部において、挿入部材73に対して筒状部材74および被覆部材75を移動させることで、切妻部72の一部（下側角部）が横方向に開閉される。
【０１３４】
また、図１１に示す変形例では、切妻部72を構成する多機能シート71の下端縁部において、外側の端部に位置する挿入部材76が、隣り合う内側の図示しない挿入部材に対して回動可能に連結されている。
【０１３５】
また、切妻部72を構成する多機能シート71の傍軒44に接続された側縁部において、下側の端部に位置する挿入部材77が隣り合う上側の図示しない挿入部材に対して回動可能に連結されている。
【０１３６】
そして、切妻部72の下側角部に配置された、挿入部材76を筒状部材78とともに回動させるとともに、挿入部材77を筒状部材79とともに回動させることで、切妻部72の一部（下側角部）が開閉される。
【０１３７】
なお、切妻部72の下側角部が開閉される構成であれば、多機能シート71の下端縁部における最も外側の端部に位置する挿入部材76、および、多機能シート71の側縁部における最も下側の端部に位置する挿入部材77のみが回動可能である構成には限定されない。すなわち、多機能シート71の下側縁部における外側から２つめの挿入部材76と、多機能シート71の側縁部における下側から２つめの挿入部材77とを回動させる等のように、用途（出入りする対象等）に応じて回動させる挿入部材76，77は適宜変更できる。
【０１３８】
これら図１０および図１１に示す変形例のように、切妻部72の一部を開閉可能な構成にすることにより、人の出入りの際や物の出し入れの際に、切妻部72全体を開閉する必要がなく、用途に応じて容易に開閉できる。
【０１３９】
また、切妻部72の一部を開閉可能な構成にすることで、図８および図９に示す全体を開閉する構成に比べて、テント部５内に外気が入りにくくできる。
【０１４０】
ここで、図８および図９に示す第３の実施の形態や、図１０や図１１に示す変形例等では、図１２に示す角度調整が自在な挿入部材81が用いられることが好ましい。
【０１４１】
この挿入部材81は、結合部材としての結合リング82に軸部83が一体に接続されている。また、軸部83の外側に棒状部84が設けられおり、この棒状部84は、軸部83に対して周方向に回転可能である。
【０１４２】
結合リング82は、隣り合う挿入部材81の結合リング82に対して回動可能に結合されている。すなわち、一の挿入部材81の結合リング82と、その一の挿入部材81に隣り合う他の挿入部材81の結合リング82とは、平面視で重なり合った状態にて、ワッシャ85を介してボルト86で連結され、ボルト86の中心軸を中心として周方向に互いに回動可能である。そして、一の挿入部材81と、その一の挿入部材81に隣り合う他の挿入部材81とを互いに回動させることにより、これら隣り合う一の挿入部材81と他の挿入部材81との角度を調整可能である。
【０１４３】
このように軸部83に対して棒状部84が周方向に回転可能で、かつ、隣り合う挿入部材81同士の角度調整が可能な挿入部材81を用いることにより、図８および図９に示すように切妻部72が上下方向に開閉可能な構成や、図１０および図１１に示すように切妻部72の一部が開閉可能な構成等において、開閉する際の切妻部72の動作に応じて角度や状態を自在に調整できるため、より正確かつ容易に開閉動作を行なうことができる。
【符号の説明】
【０１４４】
１    テント
３    支持ケーブル
４    多機能シート
５    テント部
６    多機能シート
７    多機能シート
８    切妻部
21    シート体
22    保持部材
23    被覆部材
24    筒状部材
25    挿入部材
26    結合部材としての結合リング
41    第１の切妻
42    第２の切妻
47    アンカー
47b   掘進部
51    テント
59    支持ケーブル
60    多機能シート
64    支持ケーブル
65    支持ケーブル
66    支持ケーブル
67    テント部
71    多機能シート
72    切妻部
73    挿入部材
74    筒状部材
75    被覆部材
76    挿入部材
77    挿入部材
78    筒状部材
79    筒状部材
81    挿入部材
82    結合部材としての結合リング
83    軸部
84    棒状部
【図１】
2018066194.tif 000003
【図２】
2018066194.tif 000004
【図３】
2018066194.tif 000005
【図４】
2018066194.tif 000006
【図５】
2018066194.tif 000007
【図６】
2018066194.tif 000008
【図７】
2018066194.tif 000009
【図８】
2018066194.tif 000010
【図９】
2018066194.tif 000011
【図１０】
2018066194.tif 000012
【図１１】
2018066194.tif 000013
【図１２】
2018066194.tif 000014